(57)【要約】【課題】窓開閉用建具の内面を伝わり落ちる水分を確実に浴室内に導くことができると共に、取り付け構造が簡便で、後付け設置も容易に行える。【解決手段】浴室窓は、水切り装置２１が設けられた窓開閉用建具である引き違い戸３１を備える。水切り装置２１は、水切りカバー４２と、水切りカバー４２の端部に形成された堰部４３とを備える。水切り装置２１は、引き違い戸３１の下部に設けられ、引き違い戸３１の窓ガラス３２の内面３２ａを伝わり落ちる水分を浴室内３７に導く。【選択図】  図１
2004238908.tif 000002
【特許請求の範囲】
【請求項１】
水切り装置が設けられた窓開閉用建具を備えた浴室窓であって、
前記水切り装置は、前記窓開閉用建具の下部に設けられ、該窓開閉用建具の内面を伝わり落ちる水分を浴室内に導くための水切りカバーと、前記水切りカバーの端部に形成された堰部と、を備えることを特徴とする浴室窓。
【請求項２】
前記堰部は前記水切りカバーの側面を覆う蓋部材で形成されていることを特徴とする請求項１記載の浴室窓。
【請求項３】
前記水切りカバーは、上面が、前記窓開閉用建具に当接する水平面と、前記浴室内側に傾斜する傾斜面とで形成されていることを特徴とする請求項１又は２に記載の浴室窓。
【請求項４】
前記窓開閉用建具は前記浴室内側に位置していることを特徴とする請求項１〜３のいずれかに記載の浴室窓。
【発明の詳細な説明】
【０００１】
【発明の属する技術分野】
この発明は、水切り装置を設けた窓開閉用建具を備える浴室窓に関する。さらに詳しくは、窓開閉用建具の内面を伝わり落ちる水分を浴室内に導く水切り装置を設けた窓開閉用建具を備える浴室窓に関する。
【０００２】
【従来の技術】
従来から、浴室には、引き違い戸等の窓開閉用建具を備えた浴室窓が設けられている。図５は、従来から用いられている窓開閉用建具を備えた浴室窓の側方の模式的な断面図である。浴室窓には、窓開閉用建具である引き違い戸１が備えられている。浴室窓としては、例えば浴室の洗い場に設けられる出窓が挙げられる。図５では、この出窓を形成する出窓パン（屋外６方向への飛び出し部）５の先端に、引き違い戸１が備えられている状態が示されている。
【０００３】
引き違い戸１は、窓ガラス（出窓障子）２と、窓ガラス２周囲に設けられる窓枠３と、窓枠３の下端に設けられた戸車４とを有する。一方、出窓パン５の先端に延設された下枠８には下枠レール９が設けられている。戸車４が、この下枠レール９に案内されて、引き違い戸１が摺動することにより、引き違い戸１を開閉することができる。このような洗い場の出窓に備えられる引き違い戸１の窓ガラス（出窓障子）２は、鏡ガラスとなっていることもある。
【０００４】
浴室に設けられた窓ガラス２の内面２ａは湯気で曇ったり、外気との温度差で結露しやすいものである。また、上述したように、窓ガラス（出窓障子）２の内面２ａが鏡ガラスとなっている場合には、洗面や洗髪時の飛沫が付着しやすい。そして、付着した飛沫や埃を除去するために、入浴者により窓ガラス（出窓障子、鏡ガラス）２の内面２ａにシャワーがしばしば浴びせられる。さらには、洗い場に設けられる浴室の出窓の場合には、水栓が設置されていることが多く、水栓から流出した水が、窓ガラス２の内面２ａに飛び散ることがよくある。
【０００５】
シャワーや水栓により窓ガラス２の内面２ａに浴びせられた水が、引き違い戸１の窓枠３と下枠８との間の隙間に入り込むと、この水は浴室外（屋外）６へ漏出してしまう。そこで、図５に示されるように、窓枠３と下枠８との間の隙間を、目板７と呼ばれるアルミ押出材で埋めることにより、水が浴室外６へ漏出するのを防いでいる。
【０００６】
これに関連する従来技術として、窓開閉用建具の下部に、この窓開閉用建具の室内側の内面を伝わり落ちる水分を浴室内に導くための水切り部材や、浴室の外側位置に浴室内から流れ出る水分を捕集する水受部が設けられている浴室窓の水漏れ防止機能付きサッシが開示されている（例えば特許文献１参照）。
【０００７】
【特許文献１】
特開平１１−２５６９４８号公報（第２頁、第１図）
【０００８】
【発明が解決しようとする課題】
しかしながら、窓ガラス（出窓障子、鏡ガラス）の内面に浴びせられた水は、窓枠と下枠との間の隙間を埋めている目板上付近に留まり得る。そして、留まった水は、目板の隙間から徐々に漏れ出て下枠レールに溜まり、さらには浴室外へ漏出することが生じ得る。
【０００９】
また、浴室の外側に、浴室内からドレン（排出する必要がある水）として搬出される水分を捕集するための水受部を設ける場合がある。係る場合でも、水受部で水分が捕集されないような場所に位置する、浴室の引き違い戸の窓枠と下枠との間の隙間等から、依然として浴室外へ水が漏出する可能性が考えられる。
【００１０】
さらに、上記のような浴室内から水が漏出するのを防ぐ設備、又は浴室内から漏れ出る水分を捕集するための設備を、浴室に後付け設置したい場合には、工事が大がかりとなることもある。
【００１１】
本発明は、窓開閉用建具の内面を伝わり落ちる水分を確実に浴室内に導くことができると共に、取り付け構造が簡便で、後付け設置も容易に行える水切り装置を設けた窓開閉用建具を備える浴室窓を実現することを課題とするものである。
【００１２】
【課題を解決するための手段】
本発明は上記課題を解決するために、水切り装置が設けられた窓開閉用建具を備えた浴室窓であって、前記水切り装置は、前記窓開閉用建具の下部に設けられ、該窓開閉用建具の内面を伝わり落ちる水分を浴室内に導くための水切りカバーと、前記水切りカバーの端部に形成された堰部と、を備えることを特徴とする浴室窓を提供する。
【００１３】
前記堰部は前記水切りカバーの側面を覆う蓋部材で形成されていることが好ましい。
【００１４】
前記水切りカバーは、上面が、前記窓開閉用建具に当接する水平面と、前記浴室内側に傾斜する傾斜面とで形成されてもよい。
【００１５】
前記窓開閉用建具は前記浴室内側に位置していることが好ましい。
【００１６】
【発明の実施の形態】
本発明に係る水切り装置が設けられた窓開閉用建具を備える浴室窓の実施の形態を実施例に基づいて図面を参照して説明する。
【００１７】
（実施例１）
図１は、本発明の実施例１に係る水切り装置２１を設けた窓開閉用建具を備える浴室窓を示す図である。図１（ａ）は、斜視図を、図１（ｂ）は図１（ａ）の矢印Ａ−Ａで切断した側方の断面図を示す。また、図２に、水切り装置２１の分解斜視図を示す。
【００１８】
図１に示されるような浴室窓は、例えば、浴室の洗い場に面して出窓として設けられる。即ち、浴室洗い場の壁から屋外方向に飛び出して形成される出窓パン３５の先端に下枠３８が延設され、この下枠３８上に窓開閉用建具が備えられて、出窓とされる。窓開閉用建具には、例えば引き違い戸３１が用いられる。
【００１９】
引き違い戸３１は、窓ガラス（出窓障子）３２と、窓ガラス３２周囲に設けられる窓枠３３と、窓枠３３の下端に設置された戸車３４とを有する。出窓パン３５の先端に延設された下枠３８の底部３８ａには、戸車３４を摺動可能に案内する下枠レール３９が突設されている。この戸車４が下枠レール３９に案内されることにより、引き違い戸３１が摺動されて、開閉される。このような浴室洗い場の出窓に備えられる引き違い戸３１の窓ガラス３２は、例えば、鏡ガラスとなっている。
【００２０】
本発明の特徴は、窓開閉用建具である引き違い戸３１に水切り装置２１が設けられていることである。具体的には、水切り装置２１を設けた窓開閉用建具である引き違い戸３１は、浴室内３７側に面して（位置して）いる。つまり、水切り装置２１は、浴室内３７側に面した（位置している）引き違い戸３１の下部に設けられている。言い換えると、水切り装置２１は屋外側に面する（位置する）引き違い戸３１には設けられない（取り付けられない）ことを意味する。
【００２１】
水切り装置２１は、水切りカバー４２と、水切りカバー４２の両側端部に形成された堰部４３とを有する。具体的には、水切りカバー４２は、窓ガラス（出窓障子、鏡ガラス）３２の周囲に設けられる窓枠（框）３３の下辺部（障子下框）３３ａにパッキン４０を介して当接している。両面に粘着性を有するパッキン４０を用いれば、水切りカバー４２をパッキン４０を介して窓枠３３の下辺部３３ａに貼着することができる。一方、堰部４３は窓枠３３に接着剤やビス（図示せず）等により固定されている。
【００２２】
水切りカバー４２は、浴室内（浴室の洗い場）３７側に下り勾配で傾斜する傾斜面４２ａと、傾斜面４２ａから下方に折り返されており、窓枠３３の下辺部（障子下框）３３ａにパッキン４０を介して当接する当接面４２ｂと、出窓の下枠３８に平行な下面４２ｃとを有する。
【００２３】
水切りカバー４２の傾斜面４２ａは、浴室内３７側に向かって下り勾配の傾斜状に形成される。したがって、窓ガラス３２の内面３２ａを伝わり落ちる水分は、矢印５１で示されるように傾斜面４２ａを伝って浴室内３７に導かれる。上述したように、水切りカバー４２の当接面４２ｂは、パッキン４０を介して障子下框３３ａに当接している。即ち、パッキン４０により、水切りカバー４２と障子下框３３ａとの間の隙間を無くした構造となっている。したがって、窓ガラス３２の内面３２ａから傾斜面４１ａを伝う水は、水切りカバー４２と障子下框３３ａとの間の隙間から下枠３８の底部３８ａの方に漏れ出ない。
【００２４】
水切りカバー４２の下面４２ｃと下枠（下枠額縁）３８との間には、戸車３４の高さ調節を行うための所定の幅ａのクリアランス（隙間）５２が設けられている。なお、このクリアランス５２を設ける代わりに、水切りカバー４２の傾斜面４１ａを延長させて、水切りカバー４２が下枠３８に被さるような構成とし、引き違い戸３１を摺動させたときに水切りカバー４２と下枠３８とが擦れないようにすることもできる。
【００２５】
図１（ａ）に示されるように、水切りカバー（ドレンカバー）４２の両側端部に設けられている堰部４３は、水切りカバー４２の傾斜面４２ａよりも突出した突出部４１ｃを有する。この突出部４１ｃは、水をせき止める堰としての役割を有する。堰部４３は、水切りカバー４２の側方を覆う蓋部材４１で形成される。堰部４３を設けることにより、窓ガラス３２の内面３２ａを伝って水切りカバー４２の傾斜面４２ａを流れる水は、堰部４３でせき止められる。このため、水は水切りカバー４２の側方に広がらずに、浴室内３７側、つまり、水切りカバー４２の傾斜面４２ａの正面手前方向にある洗い場に流れる。
【００２６】
図２（ａ）に示されるように、堰部４３は、蓋部材４１と、蓋部材４１を水切りカバー４２に固定するためのビス４４ａやビスキャップ４４ｂ等の固定具４４とから成る。蓋部材４１には、これらの固定具４４を挿入するための孔４１ａが設けられている。また、蓋部材４１には凹所４１ｂが設けられており、この凹所４１ｂに水切りカバー４２の側端部４２ｄがはめ込まれる構造となっている。
【００２７】
堰部４３の組立方法は、蓋部材４１の凹所４１ｂに水切りカバー４２の側端部４２ｄをはめ込む。そして、ビス４４ａを蓋部材４１に形成された孔４１ａに差し込んで、水切りカバー４２に蓋部材４１を固定する。その上から、ビスキャップ４４ｂでキャップをする。なお、ビスキャップ４４ｂをすることで、蓋部材４１に差し込まれたビス４４ａがむき出しにならないので、水切り装置２１の美観を損なわない。
【００２８】
ビスキャップ４４ｂを用いる代わりに、図２（ｂ）に示されるようなビスキャップ付き蓋部材６５を用いることにしてもよい。ビスキャップ付き蓋部材６５は、ビスキャップ６４ｂを蓋部材６１に設けて一体構造としたものである。ビスキャップ６４ｂ及び蓋部材６１には、両者を留めるためのフック６４ｃが設けられている。ビスキャップ付き蓋部材６５を水切りカバー４２に固定する場合、蓋部材６１に設けられた凹所６１ｂに水切りカバー４２の側端部４２ｄをはめ込み、ビス４４ａを蓋部材６１に設けられた孔６１ａに差し込んで固定する。その後、ビスキャップ６４ｂを矢印６２に示されるように蓋部材６１の方へ閉じ、フック６４ｃでビスキャップ６４ｂを蓋部材６１に留める。
【００２９】
（作用）
次に、実施例１の作用について図１を参照しつつ説明する。窓ガラス３２に付着した飛沫や埃を除去するために、入浴者が窓ガラス３２の内面３２ａにシャワー５２を浴びせたり、出窓に設けられた水栓から流出した水が、窓ガラス３２の内面３２ａに浴びせられる。さらには、湯気等により窓ガラス３２に水分が付着する。すると、窓ガラス３２の内面３２ａに浴びせられ、又は付着した水は、内面３２ａを伝って、水切りカバー４２の傾斜面４２ａ上を流れる。傾斜面４２ａ上を流れる水は、水切りカバー４２両側端部に設けられた堰部４３でせき止められて、水切りカバー４２の側方には広がらずに、浴室内３７側、即ち、本実施例では傾斜面４２ａの正面手前側に位置する浴室洗い場に導かれる。
【００３０】
窓ガラス３２の内面３２ａを伝った水は、水切りカバー４２の傾斜面４２ａから浴室内３７側へと導かれるので、水切りカバー４２と障子下框３３ａとの隙間を埋めているパッキン４０上付近に水が溜まりにくい。このため、パッキン４０上付近から下枠３８の底部３８ａへ水が漏れ出るのを防止できる。これにより、漏れ出た水が底部３８ａや下枠レール３９付近に溜まり、屋外３６へ漏出することを防ぐことができる。
【００３１】
なお、引き違い戸３１のような可動式の窓開閉用建具を備えた浴室窓は、引き違い戸３１を稼働させて、下枠レール３９を掃除し易いという利点を有する。このような引き違い戸３１の窓ガラス３２が鏡ガラスのような場合、特に、窓ガラス３２の内面３２ａに水を浴びせることが多くなり、屋外３６へ水が漏れ出ることが、従来、懸念されていた。しかし、本発明によれば、窓ガラス３２に浴びせた水が屋外３６へ漏れ出ることを確実に防ぐことができるので、可動式の窓開閉用建具を備えた浴室窓の利便性を一層向上させることができる。
【００３２】
（実施例２）
図３は、本発明の実施例２に係る水切り装置１２１の分解斜視図、及び水切り装置１２１が設けられるべき窓開閉用建具である引き違い戸１３１の一部を示す斜視図である。実施例２においても、実施例１と同様に、水切り装置１２１を設けた窓開閉用建具である引き違い戸１３１は、浴室内１３７側に面して（位置して）いる。具体的には、水切り装置１２１は、浴室内１３７側に面した（位置している）引き違い戸１３１の下部に設けられている。
【００３３】
水切り装置１２１は、水切りカバー１４２と、堰部１４３と、堰部１４３及び水切りカバー１４２を引き違い戸１３１の窓枠（框）１３３に固定するための水切りカバー固定部材１４５とを含んで構成される。
【００３４】
水切りカバー１４２は、傾斜面１４２ａと、水平面１４２ｂと、下面１４２ｃと、水平面１４２ｂ及び下面１４２ｃの端部に設けられた嵌合部１４２ｅとを有する。水切りカバー１４２は、上面が、水平面１４２ｂと傾斜面１４２ａとで形成されている。水切り装置１２１を引き違い戸１３１に設置したとき、水平面１４２ｂは、窓開閉用建具である引き違い戸１３１に当接する。つまり、水平面１４２ｂの端部２４２ｆが引き違い戸１３１の下辺部（障子下框）１３３ａに当接して、水平面１４２ｂと引き違い戸１３１とは垂直に位置する。傾斜面１４２ａは、実施例１と同様に、浴室内１３７側に傾斜する、つまり、浴室内１３７側に向かって下り勾配の傾斜状になるように形成されている。水切りカバー１４２の嵌合部１４２ｅは、水切りカバー１４２を水切りカバー固定部材１４５にはめ込むためのものである。この嵌合部１４２ｅに対応して、板状に形成された水切りカバー固定部材１４５にも嵌合部１４５ａが設けられている。
【００３５】
堰部１４３は、水切りカバー１４２の両側の側端部１４２ｄに設けられる。堰部１４３は、水切りカバー１４２の側方を覆う蓋部材１４１と、水切りカバー１４２の側端部１４２ｄにはめ込まれる凸部１４１ａと、水切りカバー１４２にはめ込まれた状態において、水切りカバー１４２の傾斜面１４２ａよりも突出している突出部１４１ｃとから成る。この突出部１４１ｃは、水をせき止める堰としての役割を有する。なお、図３では、水切りカバー１４２の側端部１４２ｄの一方にはめ込まれる堰部１４３のみを一つ図示している。
【００３６】
水切り装置１２１の組立方法は、まず、水切りカバー固定部材１４５を引き違い戸１３１の窓枠（框）１３３の下辺部（障子下框）１３３ａにビス１４４等により固定する。そして、水切りカバー１４２の嵌合部１４２ｅを水切りカバー固定部材１４５の嵌合部１４５ａにはめ込む。このとき、嵌合部１４２ｅと嵌合部１４５ａとの間には、水漏れを防止するためのシール部材（図示せず）を充填してもよい。さらに、堰部１４３の凸部１４１ａを水切りカバー１４２の側端部１４２ｄにはめ込むと、組立が終了する。
【００３７】
上記のように、水切りカバー１４２の嵌合部１４２ｅと水切りカバー固定部材１４５の嵌合部１４５ａとの間に、シール部材（図示せず）を充填する場合、水切り装置１２１を組み立てた後でシリコーキング（シリコン材によるコーキング）を行ったり、シール材やパッキン材等を張り付ける場合に比べて、防水性を容易に確保することができる。
【００３８】
実施例２の水切り装置１２１では、水切りカバー固定部材１４５をビス１４４で固定し、水切りカバー１４２及び堰部１４３をはめ込むという簡単な組立構造である。そして、上述したように簡単な組立方法により引き違い戸１３１に設置することができる。このため、水切り装置１２１の取り付け作業が簡便に行えると共に、容易に後付けすることができる。
【００３９】
（作用）
次に、実施例２の作用について簡単に説明する。窓ガラス１３２の内面１３２ａに水がシャワー等により浴びせられると、この水は、内面１３２ａを伝わって、水切りカバー１４２の水平面１４２ｂから傾斜面１４２ａ上へと流れる。水平面１４２ｂ及び傾斜面１４２ａ上を流れる水は、水切り装置１２１の堰部１４３でせき止められて、水切りカバー１４２の側方には広がらずに、傾斜面１４２ａの正面手前側に位置する浴室洗い場等の浴室内１３７側に導かれる。
【００４０】
したがって、実施例１と同様に、窓ガラス１３２の内面１３２ａに浴びせられた水が、窓枠１３３の下辺部１３３ａを伝い、屋外へ漏出するのを防止することができる。さらに、本実施例では、水切りカバー１４２の上面に水平面１４２ｂを形成する構造により、浴室外（屋外）への水漏れ防止に対する信頼性が、実施例１の場合よりも一層高くなる効果を有する。
【００４１】
（実施例３）
図４は、本発明の実施例３に係る水切り装置２２１、及び水切り装置２２１が設けられる窓開閉用建具である引き違い戸の窓枠２３３の一部を示す側方の断面図である。本実施例は、実施例２に類似し、同様の作用については説明を省略する。水切り装置２２１は、実施例２の水切り装置１２１と同様に、水切りカバー２４２と、堰部２４３と、水切りカバー固定部材２４５とを含んで構成される。
【００４２】
水切りカバー２４２は、水平面２４２ｂと、傾斜面２４２ａと、下面２４２ｃと、傾斜面２４２ａの端部に設けられる嵌合部２４２ｅとを有する。水切りカバー２４２は、実施例２の水切りカバー１４２と同様に、上面が水平面２４２ｂと傾斜面２４２ａとで形成されている。つまり、水切り装置２２１を引き違い戸の窓枠（框）２３３の下辺部（障子下框）２３３ａに設置したとき、水平面２４２ｂは、下辺部２３３ａに当接する。つまり、水平面２４２ｂの端部２４２ｆが下辺部（障子下框）２３３ａに当接して、水平面２４２ｂと引き違い戸の窓枠２３３とは垂直に位置する。傾斜面２４２ａは、実施例１と同様に、浴室内側に向かって下り勾配の傾斜状になる（浴室内側に傾斜する）ように形成されている。水切りカバー２４２の嵌合部２４２ｅに対応して、板状に形成された水切りカバー固定部材２４５にも嵌合部２４５ａが設けられている。
【００４３】
水切りカバー２４２の両側の側端部に設けられる堰部２４３は、実施例２の堰部１４３と同様の構成であり、水切りカバー２４２の側方を覆う蓋部材２４１と、水切りカバー２４２の側端部にはめ込まれる凸部（図示せず）と、突出部２４１ｃとから成る。突出部２４１ｃは、水をせき止める堰の役割を持つ。
【００４４】
本実施例の水切り装置２２１の組立では、まず、引き違い戸の窓枠（框）２３３の下辺部（障子下框）２３３ａに孔を開けて、水切りカバー固定部材２４５をビス２４４ａにより下辺部２３３ａに固定する。そして、水切りカバー２４２の嵌合部２４２ｅを水切りカバー固定部材２４５の嵌合部２４５ａにはめ込む。このとき、嵌合部２４２ｅと嵌合部２４５ａとの間には、水漏れを防止するためのシール部材（水密材）２４０が充填される。
【００４５】
本実施例では、さらに、水切りカバー固定部材２４５と水切りカバー２４２の下面２４２ｃとをビス２４４ｂで固定する。このため、水切りカバー固定部材２４５の一辺２４５ｂが、水切りカバー２４２の下面２４２ｃに当接するように延設されている。また、水切りカバー２４２の内側に沿って、裏当て部材２５０が補強のために挿入されている。ビス２４４ｂで水切りカバー固定部材２４５と水切りカバー２４２の下面２４２ｃとを固定した後、堰部２４３の凸部（図示せず）を水切りカバー２４２の側端部にはめ込む。こうして組立が終了する。
【００４６】
本実施例では、水切りカバー固定部材２４５にはめ込まれた水切りカバー２４２を、さらにビス２４４ｂで留めるので、両者をより確実に固定することができる。本実施例においても、実施例１及び実施例２で述べた作用、効果と同様の作用、効果を得ることができる。
【００４７】
上記各実施例では、浴室窓として出窓の例を挙げたが、出窓に限られず、通常の浴室窓（平窓）においても適用できる。さらに、窓開閉用建具として引き違い戸を挙げたが、これに限られず、例えば前後に開閉する扉式の窓開閉用建具であってもよい。
【００４８】
また、上記各実施例で説明した、本発明の水切り装置が設けられた窓開閉用建具を備えた浴室窓は、浴室内側の洗い場に設けられる場合に限られず、例えば、浴室内の浴槽側の壁に設けてもよい。
【００４９】
以上、本発明に係る水切り装置が設けられた窓開閉用建具を備えた浴室窓の実施形態を実施例に基づいて説明したが、本発明は特にこのような実施例に限定されることなく、特許請求の範囲記載の技術的事項の範囲内でいろいろな実施例があることはいうまでもない。
【００５０】
【発明の効果】
以上の構成から成る本発明に係る水切り装置を設けた窓開閉用建具を備えた浴室窓によると、窓開閉用建具の内面を伝わり落ちる水分を確実に浴室内に導くことができると共に、取り付け構造が簡便で、後付け設置も容易に行える。
【図面の簡単な説明】
【図１】本発明の実施例１に係る水切り装置を設けた窓開閉用建具を備える浴室窓を示す図である。
【図２】実施例１に係る水切り装置の分解斜視図である。
【図３】本発明の実施例２に係る水切り装置の分解斜視図、及び水切り装置が設けられるべき窓開閉用建具である引き違い戸一部を示す斜視図である。
【図４】本発明の実施例３に係る水切り装置が設けられる引き違い戸の窓枠の一部を示す側断面図である。
【図５】従来から用いられている窓開閉用建具を備えた浴室窓の側方から見た模式的な断面図である。
【符号の説明】
１、３１、１３１    引き違い戸
２、３２、１３２    窓ガラス（出窓障子、鏡ガラス）
２ａ、３２ａ、１３２ａ    内面
３、３３、１３３、２３３    窓枠（框）
４、３４    戸車
５、３５    出窓パン
６、３６    屋外
７    目板
８、３８    下枠
９、３９    下枠レール
２１、１２１、２２１    水切り装置
３３ａ、１３３ａ、２３３ａ    下辺部（障子下框）
３７、１３７    浴室内
３８ａ    底部
４０    パッキン
４１、６１、１４１、２４１    蓋部材
４１ｂ    凹所
４１ｃ、１４１ｃ、２４１ｃ    突出部
４２、１４２、２４２    水切りカバー
４２ａ、１４２ａ、２４２ａ    傾斜面
４２ｂ    当接面
１４２ｂ、２４２ｂ    水平面
４２ｃ、１４２ｃ、２４２ｃ    下面
４２ｄ、１４２ｄ    側端部
４３、１４３、２４３    堰部
４４ａ、１４４、２４４ｂ    ビス
４４ｂ、６４ｂ    ビスキャップ
４４    固定具
５１、６２    矢印
５２    クリアランス（隙間）
６４ｃ    フック
６５  ビスキャップ付き蓋部材
１４１ａ    凸部
１４２ｅ、１４５ａ、２４２ｅ、２４５ａ    嵌合部
１４５    水切りカバー固定部材
２４０    シール部材
２４２ｆ    端部
２４５ｂ    一辺
２５０    裏当て部材
【図１】
2004238908.tif 000003
【図２】
2004238908.tif 000004
【図３】
2004238908.tif 000005
【図４】
2004238908.tif 000006
【図５】
2004238908.tif 000007